(57)【要約】【課題】  仮設建築用シートをパイプ材に取り付ける取付具として用いるチューブ材、クリップ材を容易に取り外すための取り外し治具を提供する。【解決手段】  板状の握り部Ｇ１と、該握り部Ｇ１の長手方向の端部から各々板状に延出する第１の突片部Ｇ２、第２の突片部Ｇ４、を有し、第１の突片部Ｇ２及び第２の突辺部Ｇ４は、握り部Ｇ１よりも幅狭に形成され、かつ各々の先端は、チューブ材又はクリップ材と下の部材との隙間に挿入可能なように薄板状に形成されている。また、第１の突片部Ｇ２は根元に屈曲部を有し、該屈曲部において凸形状をなす側の面には所定高さの突起部Ｇ３が設けられている。また、第２の突片部Ｇ４は、握り部Ｇ１の長手方向の端面の一方の端部から延出されている。【選択図】        図１４
2005290782.tif 000002
【特許請求の範囲】
【請求項１】
突条部に嵌着された嵌着部材を離脱させるための取り外し治具であって、
板状の握り部と、該握り部の長手方向の端部から各々板状に延出する第１の突片部、第２の突片部、を有し、
前記第１の突片部及び第２の突辺部は、前記握り部よりも幅狭に形成され、かつ各々の先端に前記嵌着部材と前記突条部との隙間に挿入可能な係止部が形成され、
前記第１の突片部は屈曲部を有し、該屈曲部において凸形状をなす側の面には所定高さの突起部が設けられ、
前記第２の突片部は、前記握り部の長手方向の端面の一方の端部から延出することを特徴とする、取り外し治具。
【請求項２】
前記握り部の板面には、長手方向に沿って隆起部が形成されていることを特徴とする、請求項１に記載の取り外し治具。
【発明の詳細な説明】
【技術分野】
【０００１】
本発明は、建築物の上方に張設される仮設テント等のシート材を梁部材に固定するクリップ等の取付具の取り外しを容易にするための取り外し治具に関する。
【背景技術】
【０００２】
仮設建築用シートを仮設建築物の骨組みを構成するパイプ材に簡易に着脱でき、且つ、シートを密閉状態で確実堅固に張設できる仮設建築用シートの取付具が知られている（例えば、特許文献１参照）。
【特許文献１】特開２０００−４５５３４号公報（第２−３頁、図４、図６）
【発明の開示】
【発明が解決しようとする課題】
【０００３】
特許文献１の仮設建築用シートの取付具は、パイプ材に巻付けたシートを、円弧状の断面を有する２つの挟み片で両側から挟み込むように構成されている。そして、両挟み片の蝶着部にジグザグ状のスプリングを着脱可能なスプリング係合溝が設けられ、この係合溝にスプリングを取り付けると、スプリングの弾力によってシートが押圧挟持されて、パイプ材に固定されている。このような取付具を使用すると、スプリングの着脱が容易とされているので、チューブ状の取付具を用いて、パイプ材にシートを容易に固定することができ、かつ、容易に取り外すことができる。
【０００４】
しかし、特許文献１の取付具は、特殊な構成を有しているため、入手が困難であり、また自ら製作するとコスト高になるという問題点があった。
一方、市場流通品のクリップ材等をシート固定用の取付具として使用すれば、そのような取付具は容易かつ安価に入手することができる。例えば、図１３、図１５においてシート８０を固定するのに使用しているチューブ材８１及びクリップ８２は、市場流通品であり、容易かつ安価に入手できるとともに、これらを組み合わせて使用することで、シート８０を管状部材に強固に固定することができる。
【０００５】
ところが、このようなチューブ材８１及びクリップ８２のような取付具は、所定長さの
Ｃ字型断面の筒状材の内部に管状部材及びシート材を押し込み、管状部材と筒状材との間でシートを挟み込むことにより、シートを固定するものである。そして、無理やり筒状材の内部に押し込んだシート及び管状部材から筒状材を引き剥がそうとすると、かなりの力が必要とされていた。従って、シートを管状部材から取り外す際に、指の力だけで引き剥がそうとすると、作業者の負担が大きくなっていた。そして、それにもかかわらず、このようなチューブ材８１及びクリップ８２の取り外しを容易とするための専用の治具等は知られていなかった。
【０００６】
本発明は、上記のような問題に鑑み、市販品のチューブ材８１及びクリップ８２のような略Ｃ字型断面の筒状材を管状部材から取り外す作業、すなわち嵌着部材を被嵌着部材から取り外す作業を容易とするための取り外し治具を提供することを目的とする。
【課題を解決するための手段】
【０００７】
前記課題は、請求項１に記載の取り外し治具によれば、突条部に嵌着された嵌着部材を離脱させるための取り外し治具であって、板状の握り部と、該握り部の長手方向の端部から各々板状に延出する第１の突片部、第２の突片部、を有し、前記第１の突片部及び第２の突辺部は、前記握り部よりも幅狭に形成され、かつ各々の先端に前記嵌着部材と前記突条部との隙間に挿入可能な係止部が形成され、前記第１の突片部は屈曲部を有し、該屈曲部において凸形状をなす側の面には所定高さの突起部が設けられ、前記第２の突片部は、前記握り部の長手方向の端面の一方の端部から延出すること、により解決される。
【０００８】
このように、請求項１に記載の取り外し治具は、嵌着部材と被嵌着部材との隙間に挿入可能な薄板状の第１の突片部を有している。この第１の突片部は屈曲部を有し、この屈曲部の凸形状をなす側の面には突起部が形成されているので、この突起部を支点として、第１の突片部の先端を回動させることができる。従って、第１の突片部を嵌着部材と被嵌着部材との隙間に挿入した後、突起部を被嵌着部材の表面に当接させ、この突起部を支点として握り部に押圧力を加えると、てこの原理により第１の突片部の先端が被嵌着部材の表面から嵌着部材ごと上昇される。これにより、より少ない力で嵌着部材を被嵌着部材から離脱させることができる。従って、作業者の負担が軽減され、嵌着部材の取り外しが容易とされる。
【０００９】
また、請求項１に記載の取り外し治具は、嵌着部材と被嵌着部材との隙間に挿入可能な薄板状の第２の突片部を有し、この第２の突片部は、前記握り部よりも幅狭に形成され、かつ握り部の長手方向の端面の一方の端部から延出している。要するに、第２の突片部は、握り部の角部から延出している。従って、この第２の突片部を嵌着部材と被嵌着部材との隙間に挿入した後、握り部に対して長手方向を軸として回動させる力を加えると、それに伴って第２の突片部が回動され、嵌着部材と被嵌着部材の隙間に挿入された部分が回動され、隙間が拡げられる。つまり、第２の突片部よりも握り部のほうが幅広に形成されているため、握り部を回動させると、てこの原理により、より少ない力で第２の突片部が回動されて、嵌着部材と被嵌着部材の隙間を拡げることができる。従って、作業者の負担が軽減され、嵌着部材の取り外しが容易とされる。
【００１０】
このとき、請求項２に記載のように、前記握り部の板面には、長手方向に沿って隆起部が形成されていると好適である。このように構成すると、握り部の板面が作業者の手のひらに沿った形状とされ、握りやすく、力を加えやすい。従って、作業者の負担が軽減され、嵌着部材の取り外しが容易とされる。
【発明の効果】
【００１１】
以上のように、本発明によれば、以下のような効果を奏する。
（イ）第１の突片部を嵌着部材と被嵌着部材との隙間に挿入し、突起部を被嵌着部材の表面に当接させて握り部に押圧力を加えると、てこの原理により、より少ない力で嵌着部材を被嵌着部材から離脱させることができる。従って、作業者の負担が軽減され、嵌着部材の取り外しが容易とされる。
（ロ）第２の突片部を嵌着部材と被嵌着部材との隙間に挿入し、握り部を回動させると、てこの原理により、より少ない力で嵌着部材と被嵌着部材の隙間を拡げることができる。
（ハ）握り部の板面に、長手方向に沿って隆起部が形成されていると、握りやすく、作業者が上述の押圧力及び回動力を加えやすい。従って、作業者の負担が軽減され、嵌着部材の取り外しが容易とされる。
【発明を実施するための最良の形態】
【００１２】
本発明の実施の形態について、図面を参照して説明する。また、以下に説明する配置、形状等は、本発明を限定するものではなく、本発明の趣旨に沿って各種改変することができることは勿論である。
【００１３】
図１乃至図１６は本発明の一実施形態を示す図で、図１は実施例の仮設テントの平面図、図２及び図３は実施例の仮設テントの断面図（図２は図１のＡ−Ａ断面図、図３は図１のＢ−Ｂ断面図）、図４乃至図７は実施例のシートの張設方法を示す説明図、図８は仮設足場にレール、ローラー架台、ガーターを取り付けた状態を示す斜視図、図９は実施例のガーターパーツの接合方法を示す説明図、図１０はガーターとつなぎ材の接合部を示す斜視図、図１１及び図１２は実施例のガーターのレベルを合わせるための束部材を示す説明図、図１３は実施例のシートがガーターの上から固定された状態を示す説明図である。
また、図１４はシートの固定状態を解除するときに使用する取り外し治具を示す説明図、図１５は取り外し治具を用いてクリップを外す手順を示す説明図、図１６は実施例の仮設テントのシートに設けられたドレーンの配置を示す説明図、である。
【００１４】
（仮設テント及び仮設テント用梁部材の構成）
本実施形態の仮設テントＳは、仮設足場Ｔに支持されるブラケット１０に固定されるレール支持材２０と、該レール支持材２０に固定されるレール３０と、該レール３０に装着されるローラー架台４０と、該ローラー架台の上面に取り付けられるガーター５０と、隣接するガーター５０同士を所定間隔で連結するつなぎ材６０と、前記ガーター５０に着脱可能な束部材７０と、前記ガーター５０及びつなぎ材６０の上に張設されるシート８０と、該シート８０に設けられた排水用のドレーン９０と、を有して構成されている。
なお、上述のレール３０が本発明のレール部材に相当し、ガーター５０が本発明の梁部材に相当し、シート８０が本発明のシート部材に相当する。
【００１５】
仮設テントＳは、図１に示すように、建物Ｈを挟んで対向する位置に設けられた仮設足場Ｔ１及びＴ２によって支持されている。なお、図１乃至図３においてシート８０は図示を省略している。また、図１において図２及び図３に示されているブラケット１０、ローラー架台４０は図示を省略している。
【００１６】
図３に示すように、この仮設足場Ｔ１及びＴ２の内側（建物側）の縦枠材Ｒ１及びＲ２の上端部には、ブラケット１０が各々略同一高さに取り付けられている。ブラケット１０は、図８に示すように、縦フレーム材１１と、縦フレーム材１１に固定された略水平な横フレーム材１２と、を有して構成されている。縦フレーム材１１と縦枠材Ｒ１，Ｒ２とは単管連結材１３によって固定され、横フレーム材１２は縦フレーム材１１の上端から建物側に向けて延出されている。各々の横フレーム材１２の上側には、図８に示すように、断面コの字型のレール支持材２０の片方のフランジ面が単管クランプ１４を介して固定されている。そして、レール支持材２０のもう一方のフランジ部の先端にはレール３０が固定されている。
【００１７】
レール３０は、上述のように、略直線上に並んだ複数の縦枠材Ｒ１に、ブラケット１及びレール支持材２０を介して複数箇所で支持され、略水平に保持されている。同様に、別のレール３０が、略直線上に並んだ複数の縦枠材Ｒ２に、ブラケット１及びレール支持材２０を介して複数箇所で支持され、略水平に保持されている。つまり、仮設足場Ｔ１、Ｔ２からそれぞれ建物側にレール３０が架設されおり、建物Ｈを挟んで略平行に２本のレール３０が架設されている。
なお、本実施形態では、レール３０は、２．３ｍｍ厚の鋼材からなる直径４８．６ｍｍのメッキ鋼管が使用されている。
【００１８】
ローラー架台４０は、図８に示すように、走行部４１の上に架台部４２が接合されている。走行部４１は、リップ溝形鋼の断面形状を有するローラー受け材４３の内部に、複数のローラー４４をコの字型に配設して形成されている。架台部４２には、後述するガーター５０の下端面の部材が接合される。
このローラー架台４０は、略コの字型に配設された各々回転自在なローラー４４で囲まれる空間にレール３０が挿通されて装着される。このように装着すると、レール３０が該ローラー４４の回転面に３方向から当接されて支持され、ローラー架台４０がレール３０に沿って走行自在とされる。また、ローラー４４はローラー受け材４３の長さ方向に沿って複数配置されているので、レール３０に対してローラー受け材４３が平行に装着される。
【００１９】
ガーター５０は、建物Ｈを挟んで略平行に架設される一対のレール３０，３０に架け渡される部材であり、１本の上弦材５１及び２本の下弦材５２，５２を略正三角形の薄板状の梁用プレート５３の各々の頂点に接合して構成されている。ガーター５０は、両端部が各々ローラー架台４０の架台部４２に取り付けられている。そして、ガーター５０は、両端のローラー架台４０，４０が略平行なレール３０，３０に各々装着されることにより、建物上空を走行自在とされる。なお、本実施形態では図６のようなローラー架台４０を用いてガーター５０を走行自在に構成したが、このような形状に限定されず、レール３０に対して走行自在な構成であれば、どのような構成であってもよい。
【００２０】
上弦材５１及び下弦材５２，５２は、いずれも１．６ｍｍ厚の鋼材からなるメッキ鋼管が使用されている。その径寸法は１９．１ｍｍとされている。
梁用プレート５３は、３．２ｍｍ厚の鋼板からなり、略正三角形の底辺から頂点までの寸法が２００ｍｍとされている。なお、この梁用プレート５３が、本発明の連結材に相当する。また、この梁用プレート５３は、ガーター５０の長さ方向に４５５ｍｍ間隔に配置されている。すなわち、モジュール寸法（９１０ｍｍ）の半分のピッチで配置されている。また、梁用プレート５３のプレート面はガーター５０の長さ方向に対して略垂直とされている。
【００２１】
梁用プレート５３と上弦材５１または下弦材５２，５２は、各々補強プレート５４を介して接合されている。この補強プレート５４は、約５０ｍｍ角の３．２ｍｍ厚の鋼板であって、一端面が梁用プレート５３のプレート面に溶接され、該溶接面と隣り合う端面が上弦材５１または下弦材５２，５２の側面に溶接されている。
また、梁用プレート５３には、その略中央に直径５０ｍｍの円形開口５３ａが設けられており、部材の軽量化が図られている。また、この円形開口５３ａの周囲に複数の直径１３ｍｍのボルト接合穴５３ｂが設けられている。ボルト接合穴５３ｂのうち３個は、円形開口５３ａの中心から三角形の各頂点に向かって６０ｍｍ離間した位置を中心として設けられている。また、別のボルト接合穴５３ｂは、円形開口５３ａの中心から三角形の各辺に向かう垂線上であって、各辺から２５ｍｍ内側の位置を中心として設けられている。
【００２２】
本実施形態では、長尺部材のガーター５０を人力で架設するために、互いに着脱可能な複数のガーターパーツ５５が長さ方向に連結されたガーターを作業床上で組み立てて架設している。各々のガーターパーツ５５は、その最大長さが３６４０ｍｍとされ、その最大重量が１１ｋｇとされている。なお、このガーターパーツ５５が、本発明の組立部材に相当する。
これらの部材の運搬に際し、各々の部材を作業者が手で持つときに苦痛を感じないようにするためには、各々の部材の重量を１０ｋｇとする必要があるとされている。すなわち、１０ｋｇが作業者に苦痛を感じさせないためのガイドラインの値である。本実施形態のガーターパーツ５５は最大重量が１１ｋｇとされており、このガイドラインの重量を越えているが、その超過量はわずかである。従って、作業者が本実施形態のガーターパーツ５５を運搬しても、それほど作業に苦痛を感じることがない。また、３６４０ｍｍよりも短いガーターパーツは１０ｋｇ以下とされており、運搬に際して作業者に苦痛を感じさせることがない。
【００２３】
このように、仮設テントＳの構成部材を、全て人力で作業床上へ運搬することができ、かつ作業床上で組立または解体が可能な部材で構成することによって、重機を用いずに梁部材を架け渡すことができ、仮設テントの設置・解体を行うことができる。従って、コストが削減される。また、重機の設置スペースが確保できない現場でも仮設テントを設置することができる。
【００２４】
本実施形態の仮設テントは、建物または敷地の大きさによって大きさが異なるものとされる。このような場合に対応するため、ガーターパーツ５５として複数種類の長さのものが準備されていると好適である。これにより、様々な長さのガーターを容易に組み立てることができる。例えば、単位モジュール寸法を基準として、その整数倍または整数分の１のガーターパーツを準備する。本実施形態では、建物のモジュール寸法が９１０ｍｍとされており、その２分の１の４５５ｍｍを基準に寸法展開されているので、４５５ｍｍを基準寸法として、この整数倍の寸法展開でガーターパーツを準備する。このようにすると、モジュール展開された建物に対応した寸法のガーターを容易に組み立てることができる。但し、本実施形態では、上述のように作業性及び設置・解体の容易性を考慮して、ガーターパーツの最大長さはモジュール寸法の４倍の３６４０ｍｍとされる。
また、ガーターの両端は上述した架台部４２に固定されるため、ガーターの両端に使用する組立部材として、固定しろを考慮した端部専用の長さのものを準備してもよい。
【００２５】
図９に、ガーターパーツ５５の接合方法を示す。各々のガーターパーツ５５の両端には梁用プレート５３が取り付けられており、この梁用プレート５３を接合相手のガーターパーツ５５端部の梁用プレート５３と重ね合わせる。それと共に、上弦材５１及び下弦材５２，５２の端部の開口を接合相手の部材の対応する上弦材、下弦材の開口に対向させる。そして、所定長さの棒状のピン部材Ｐの両端を、それぞれ対向する開口に挿入し、ピン部材Ｐを、矢印に示すように、両側から鋼管の内部に収納する。このようにすると、ピン部材Ｐを介して上弦材５１、下弦材５２が直線状に連結される。
【００２６】
このピン部材Ｐの略中央には、少なくとも１つの突起Ｑが形成されている。突起Ｑが形成されていると、その端部から鋼管の内部に差し込まれたピン部材Ｐは、突起Ｑの位置以上に深く鋼管の内部に挿入されることはない。従って、必ずピン部材Ｐの略中央部がガーターパーツ５５の連結面、すなわち鋼管と対向する鋼管の境界面に位置されるようにピン部材が保持され、位置ずれを起こすことがない。
【００２７】
そして、重ね合わせた梁用プレート５３のボルト接合穴５３ｂにボルトＭを挿通してナットＮを締め付け、梁用プレート５３同士を固定する。図９では一箇所しかボルトが締め付けられていないが、ボルトＭは、十分な接合強度を得られる数であれば良く、全てのボルト接合穴５３ｂに取り付けても良いし、一部のボルト接合穴５３ｂのみに取り付けても良い。また、ボルト以外にも、着脱可能な締結材であれば使用することができる。
【００２８】
つなぎ材６０は、図1に示すように、隣り合うガーター５０の各々の略中央部に連結されている。このつなぎ材６０は、隣り合うガーター同士を所定の間隔に保持すると共に、シート８０で被覆されたとき、仮設テントの内側からシート８０を支持するものである。このようなつなぎ材６０を設けた理由については、後述する。
【００２９】
図１０に、つなぎ材６０とガーター５０との接合部を示す。本実施形態のつなぎ材６０は、上弦材６１と下弦材６２とを矩形のつなぎプレート６３で連結して平面的なフレーム状に構成されている。つなぎ用プレート６３は、少なくともつなぎ材６０の両端部に設けられ、その所定位置に開口６３ａ及びボルト接合穴６３ｂが設けられている。従って、つなぎ材６０をガーター５０に接合するには、ガーター５０の梁用プレート５３と、つなぎ材６０のつなぎ用プレート６３とを重ね合わせる。そして、ボルト接合穴５３ｂ、６３ｂにボルトＭを挿通してナットＮを取り付け、固定すればよい。
【００３０】
束部材７０は、ガーター５０に接合されてレベル調整を行う際に使用される部材である。この束部材７０は、ガーター用束７２と、レベル調整束７３とを備え、ガーター用束７２の胴部に１００ｍｍ間隔で形成された長さ調整穴７２ａと、レベル調整束７３の胴部に１００ｍｍ間隔で形成された長さ調整穴７３ａとを位置合わせしてボルトを挿通して固定することにより、所望の長さに調整することができる。
【００３１】
束用プレート７１はガーター用束７２の先端に固定されており、梁用プレート５３と略同一形状とされている。従って、束部材７０とガーター５０とを接合するには、梁用プレート５３と束用プレート７１とを重ねてボルトで接合する。また、レベル調整束７３は、その下端内部に接合された不図示の長ナット７４に螺合された位置調整ネジ７５をまわして長さ方向に前進または後退させることにより、レベルの微調整を行うことができる。
図１１はガーター用束７２、レベル調整束７３、及びガーター５０の接合方法を説明する分解斜視図である。また、図１２は作業床上に組み立てられた束部材７０を示す説明図である。なお、レベル調整の手順については、仮設テント及び仮設テント用梁部材の設置方法の欄で後述する。
【００３２】
シート８０は、ガーター５０及びつなぎ材６０によって支持されており、ガーター５０及びつなぎ材６０を覆うように被せられ、ガーター５０の上弦材５１に対して固定されている。本実施形態のシート８０は、公知の防水シートが使用されている。シート８０には、ガーター５０に対して固定される位置にあらかじめ合わせマークが印刷されている。また、上弦材５１と当接する取付部分にはあらかじめ増し張りが施され、補強が施されている。
【００３３】
後述するように、本実施形態のシート８０の張設方法では、複数本のガーター５０をレール上の一箇所に寄せ集め、ガーター５０と隣り合うガーター５０とが近接した状態で、ガーター間にシート８０がたるんだ状態となるように取り付ける。そして、ガーター５０を移動させてシート８０を展伸させ、ガーター５０が所定位置まで移動されたときに、シート８０が略水平に緊張されるように構成されている。そのため、本実施形態の合わせマークは、シート８０を緊張した状態における隣合うガーター５０間の距離に、シートを上弦材５１に固定するための固定しろを加えた間隔で印刷されている。
このような合わせマークが印刷されていると、合わせマークを基準に、たるんだ状態でシート８０をガーター５０に固定しておき、その後シート８０を展伸したときには、シート８０がちょうど略水平に緊張されるようにすることができる。従って、取り付け時にその都度シートのどの位置で固定すればよいか測って取り付ける必要がなく、取付作業が簡易化される。また、正確な位置で固定することができ、展伸されたシートが略水平に緊張されるようにすることができる。
【００３４】
本実施形態の合わせマークは、シート８０の両側縁に所定間隔で印刷されており、この合わせマークをガーター５０の上弦材の両端部に合わせてシートを固定すればよいが、合わせマークの位置はこのような位置に限定されず、シート８０の固定位置を定められる位置であれば、どのような位置に印刷してもよい。また、シート８０の両側縁だけでなく、シート８０の内部側にも印刷しておき、ガーター５０の長さ方向の中間部に固定される内部側の固定位置についても、正確に位置決めできるようにしておいてもよい。
また、合わせマークは印刷によるものに限定されず、合わせ位置が認識できるものであればどのようなものでもよい。例えば、所定の位置決め部材を取り付けておく方法でもよい。
【００３５】
図１３に実施例のシート８０がガーター５０の上から被せられて一部が固定された状態を示す。この図において、シート８０に覆われたガーターの形状を点線で示す。シート８０を上弦材５１に対して固定する方法は、以下のようなものである。シート８０を被せた上から、所定長さの略Ｃ字型断面を有するチューブ材８１を上弦材５１に嵌着する。これにより、上弦材５１とチューブ材８１との間でシート８０が挟持され、固定される。そして、チューブ材８１の両端部等のはずれ易い箇所には、さらにチューブ材８１の外側からクリップ８２を嵌着して、より強固に固定する。
【００３６】
チューブ材８１及びクリップ８２は着脱可能な挟持部材である。チューブ材８１は弾力性のある樹脂製品からなり、Ｃ字型断面の開口部分を拡げてシート８０及び上弦材を押し込み、挟み込むことができる。クリップ８２は、Ｃ字型断面の短い筒材８２ａの外側からバネ材８２ｂで挟み込むものであって、バネ材８２ｂを筒材８２ａの一端に軸支させ、回動させることによって、挟み込みまたは取り外しできるものである。
なお、シート８０の固定状態を解除する手順及び解除の際に使用される取り外し治具Ｇについては、後述する。
【００３７】
次に、つなぎ材６０を設けた理由について説明する。図１６に仮設テントＳの平面図を示す。この図において、シート８０に被覆されたガーター５０、レール３０、つなぎ材６０、は点線で示されており、仮設足場Ｔ及び建物Ｈは図示を省略している。図１６に図示されるように、シート８０には、仮設テントＳの外側と内側とを連通するドレーン９０ａ乃至９０ｈが設けられている。そして、このドレーン９０ａ乃至９０ｈには、各々仮設テントＳの内側に連通する不図示の排水ホース９１ａ乃至９１ｈが接続されている。排水ホースは、排水の必要がないときには取外して建築工事の邪魔にならないようにすることもできる。そして、排水ホースを取り外したときには、ドレーン９０ａ乃至９０ｈには防水キャップ等を嵌着してふさいでおくこともできる。
【００３８】
シート８０の上に雨水が溜まると、溜まった雨水がこのドレーン９０にうまく流入されれば、排水ホース９１によってテント外へ排出することができる。本実施形態の仮設テントＳでは、上述したようにガーター５０の上弦材５１にシート８０が固定されて支持されているので、上弦材５１を境にガーター５０の両側に雨水が振り分けられる。同様に、つなぎ材６０の両側に雨水が振り分けられる。つまり、つなぎ材６０を設けることにより、隣り合うガーター５０、つなぎ材６０、及びレール３０によって囲まれる矩形の構面が一つの排水負担領域となり、排水負担領域が２分割される。そして、これらのつなぎ材６０を境に隣り合う排水負担領域は、排水系統が別となる。
【００３９】
本願出願人は、まず、つなぎ材６０を設けない構成で仮設テントの試作実験を行った。このとき、ドレーンの位置は図１６と同様に設けられていた。すなわち、隣り合うガーター５０及び一対のレール３０で囲まれる構面に各々２ヶ所のドレーン９０が設けられていた。また、この配置以外の配置でも、試験を行った。その結果、つなぎ材を設けない構成では、雨水が必ずしもドレーン９０に流入されず、排水を確実に行うことができないことを知った。
つまり、実験の結果によれば、つなぎ６０が設けられていない状態、すなわち排水負担領域が広い場合には、排水負担領域内に局部的な水たまりが形成された。このような水たまりは、その発生位置が一定とされていなかった。そして、いったんそのような水たまりが形成されると、そこに溜まった雨水は、作業者がドレーンの位置に移動させて排水させない限り、いつまでも排水されない。このように、雨水が集中した部分のシート８０及びシート８０を支持する部材の負担が増大し、仮設テントＳの耐久性に悪影響を与える。また、建築工事の作業性に悪影響を与える。
【００４０】
そこで、本願出願人は、工夫を重ねた結果、つなぎ材６０で隣り合うガーター５０の中央部分を連結して排水負担領域を２分割し、つなぎ材を境として両側に雨水が振り分けられるようにした。そして、図１６のように、排水負担領域、すなわち、隣り合うガーター５０、つなぎ材６０、及びレール３０によって囲まれる矩形の構面の対角線の交点に各々のドレーン９０ａ乃至９０ｈを位置させるようにした。このようにすると、局部的に水たまりができる等の排水不良が発生せず、各々のドレーン９０ａ乃至９０ｈから良好に排水されることを知った。
なお、ガーター５０の支持スパンがもっと長尺とされている場合には、つなぎ材６０は必ずしもガーター５０の中央でなく、例えばガーター５０の支持スパン、すなわちレール３０、３０間の距離を三分割した位置に設けられていてもよい。このときには、ドレーン９０は、隣り合うガーター５０、つなぎ材６０、及び該つなぎ材６０と隣り合うつなぎ材によって囲まれる矩形の構面の対角線の交点に位置させると、排水不良が発生しない。
【００４１】
（仮設テント及び仮設テント用梁部材の設置方法）
以下、本実施形態の仮設テントＳを設置する手順について説明する。
（１）まず、ブラケット１０及び仮設テントＳの構成部材を仮設足場Ｔ又は建物Ｈの作業床上に運び上げる。構成部材としては、レール支持材２０、レール３０、ローラー架台４０、ガーターパーツ５５、つなぎ材６０、ガーター用束７２、レベル調整束７３、シート８０、排水ホース９１、シート取付具（チューブ材８１、クリップ８２）等がある。また、必要工具及び連結用の部材を運び上げる。
【００４２】
（２）次に、レールを設置する。すなわち、仮設足場Ｔの縦枠材Ｒにブラケット１０を固定し、レール３０をレール支持材２０を介してブラケット１０の上に固定する。
（３）次に、ガーターパーツを組み立てる。すなわち、ガーターパーツ５５の端部の梁用プレート５３同士を連結して所定の寸法及び数量のガーター５０を組み立てる。そして、ガーター５０の両端にローラー架台４０を取り付ける。
（４）次に、ガーターをレール間に架け渡す。すなわち、各々のローラー架台４０をレール３０に取り付けてガーター５０を所望の数だけ架け渡す。
【００４３】
（５）次に、ガーター５０にシート８０を張設する。まず、全てのガーター５０をレール上で一箇所に寄せ集めて、シート８０で覆う。そして、予めシートに印刷された合わせマークの位置を各々のガーター５０の上弦材５１の位置とを合わせてシートをガーター５０の上弦材５１に固定する。このとき、ガーター５０が寄せ集められているので、シート８０はガーター５０の間にたるんだ状態とされている。図４及び図５がこの状態の仮設テントＳを示す。その後、シート８０と全てのガーター５０との固定作業が終了した後、ガーター５０を図４及び図５のＡ方向にスライドさせて、蛇腹状に配設されていたシート８０を展伸させ、ぴんと緊張させる。図６及び図７がこの状態の仮設テントＳを示す。
【００４４】
（６）次に、シート８０が緊張された状態で、各々のローラー架台４０をレール３０に対して固定する。仮設テントＳの構成の欄では説明を省略したが、ローラー架台には、レール３０の真上に位置される部位に、上方から棒状の固定ピンを挿通させることが可能な穴が形成されている。また、レール３０には、この固定ピンを挿通させることが可能な固定穴が所定間隔で形成されている。この固定穴を、シートの合わせマークの間隔と対応させて設けておくことにより、シート８０が展伸され、ぴんと張られた状態でローラー架台４０とレールとを１本の固定ピンで挿通させ、動かないようにすることができる。この方法では、予めレール３０に固定穴が形成されているので位置決めが容易となるが、これ以外にも、公知のクランプ等を用いて所望の位置にローラー架台４０を固定するようにしてもよい。
【００４５】
（７）次に、各々のガーター５０の中間部に束部材７０を接合してレベル合わせを行う。図１１及び図１２に示すように、ガーター用束７２の一端に固定された束用プレート７１とガーター５０の梁用プレート５３とをボルトで接合する。そして、ガーター５０のレベルが最も設計位置に近くなるように、長さ調整穴７２ａと長さ調整穴７３ａとを位置合わせしてボルトを挿通し、ガーター用束７２とレベル調整束７３を接合する。そして、このレベル調整束７３を、シート８０によって覆われた建物の屋上又は作業床、あるいは仮設足場の作業床、等の上（図１２においてＦとして示す）に設置する。このように、おおよそのレベルを合わせた後、レベル調整束７３の下端に設けた位置調整ネジ７５により、レベルの微調整を行う。
【００４６】
（８）そして、レベル微調整を行った後、ガーター用束の下端とガーター５０の両端のローラー架台４とを、各々ブレース材７６によって接合し、張力を与える。これによりガーター５０のたわみが改善され、ガーター５０が略直線状態に保持される。
（９）次に、隣り合うガーター５０の中間部をつなぎ材６０で連結する。
（１０）最後に、排水ホース９１をドレーン９０に接続して排水路を確保する。
【００４７】
（シートの固定解除方法及び取り外し治具）
本実施形態の仮設テントを解体するときにシート８０の固定を解除する方法及びそれに用いる取り外し治具について説明する。
図１３では、作業者がシート８０の一部の固定状態を途中まで解除した状態を示しているが、シートの固定状態を解除するには、まずクリップ８２を取り外し、その後、チューブ材８１を取り外す。このとき、作業者は、取り外し治具Ｇを使用して作業を行う。
図１４に取り外し治具Ｇの斜視図及び側面図を示す。この取り外し治具Ｇは、片手で握るのに丁度良い寸法の板状の握り部Ｇ１と、その一端から所定角度で突出する薄板状の突起部Ｇ２と、突起部Ｇ２の根元に形成された隆起部Ｇ３と、突起部Ｇ２と逆の端部に突出する薄板状の突起部Ｇ４と、を備えている。
【００４８】
握り部Ｇ１の略中央には、握り部Ｇ１の長手方向に沿って、帯状の隆起部が形成されている。そして、この隆起部の両端には穴部が形成されて隆起部の形成が容易とされている。このような隆起部が設けられていることにより、握り部Ｇ１は、片手で握ったときの手のひらの形状になじむ形状とされている。そして、このように形成されていると、後述するように握り部Ｇ１を回動させるときに押圧力及び回動力を加えやすい。従って、作業者の負担が軽減される。
【００４９】
突起部Ｇ２及びＧ４は、いずれも握り部Ｇよりも幅狭に形成されており、その先端はチューブ材８１又はクリップ８２の下の隙間に挿入し易いように薄板状に形成されている。突起部Ｇ２は、その根元部で屈曲されており、この屈曲部には、凸形状をなす側の面に隆起部Ｇ３が形成されている。突起部Ｇ４は、その板面が、握り部Ｇ１の板面と同一平面に突出され、かつ、握り部Ｇ１の長手方向の端面の一方の端部である角部から延出している。これにより、握り部Ｇ１の側縁と突起部Ｇ４の側縁とは、段差なく直線状に接続されている。突起部Ｇ４は、突起部Ｇ２と同一方向に突出されていてもよいが、握り部Ｇ１の角部に接続されていることが好ましい。握り部Ｇ１の角部に接続されていれば、握り部Ｇ１の回動に伴って突起部Ｇ４を回動させ、チューブ材８１又はクリップ８２の下の隙間を拡げようとするときに、てこの原理を利用することができ、より少ない力でチューブ材８１又はクリップ８２の下の隙間を拡げることができる。
【００５０】
作業者は、突起部Ｇ２を使用するときは、突起部Ｇ２をチューブ材８１の下の隙間に差し込み、隆起部Ｇ３をチューブ材８１が取り付けられたシート面に当接させ、握り部Ｇ１に対してこのシート面に向かって押下する力を加える。このようにすると、てこの原理により隆起部Ｇ３を支点として突起部Ｇ２が回動されてシート面から上昇され、チューブ材８１がシート８０及び上弦材５１からひきはがされる。
【００５１】
また、図１５に突起部Ｇ４を使用してクリップ８２を外すときの手順を示す。まず、図１５（ａ）に示すように、バネ材８２ｂと筒材８２ａとの隙間に突起部Ｇ４を差し込む。次に、図１５（ｂ）に示すように、突起部Ｇ４をその延出方向を軸として回動させる。このとき、幅広の握り部Ｇ１を回動させることにより、より少ない力で突起部Ｇ４を回動させてバネ材８２ｂと筒材８２ａとの隙間を広げることができる。そして、バネ材８２ｂを回動させて取り外す。そして、図１５（ｃ）に示すように、筒材８２ａとチューブ材８１との隙間に突起部Ｇ４を差し込み、同様に突起部Ｇ４を回動させて筒材８２ａとチューブ材８１との隙間を拡げて、筒材８２ａをチューブ材８１からひきはがす。
【図面の簡単な説明】
【００５２】
【図１】実施例の仮設テントの平面図である。
【図２】実施例の仮設テントの断面図である。
【図３】実施例の仮設テントの断面図である。
【図４】実施例のシートの張設方法を示す説明図である。
【図５】実施例のシートの張設方法を示す説明図である。
【図６】実施例のシートの張設方法を示す説明図である。
【図７】実施例のシートの張設方法を示す説明図である。
【図８】仮設足場にレール、ローラー架台、ガーターを取り付けた状態を示す斜視図である。
【図９】実施例のガーターパーツの接合方法を示す説明図である。
【図１０】ガーターとつなぎ材の接合部を示す斜視図である。
【図１１】実施例のガーターのレベルを合わせるための束部材を示す説明図である。
【図１２】実施例のガーターのレベルを合わせるための束部材を示す説明図である。
【図１３】実施例のシートがガーターの上から固定された状態を示す説明図である。
【図１４】シートの固定状態を解除する取り外し治具を示す説明図である。
【図１５】取り外し治具を用いてクリップを外す手順を示す説明図である。
【図１６】実施例の仮設テントのシートに設けられたドレーンの配置を示す説明図である。
【符号の説明】
【００５３】
１０  ブラケット、１１  縦フレーム材、１２  横フレーム材、１３  単管連結材、１４  単管クランプ、２０  レール支持材、３０  レール、４０  ローラー架台、４１  走行部、４２  架台部、４３  ローラー受け材、４４  ローラー、５０  ガーター、５１  上弦材、５２  下弦材、５３  梁用プレート、５３ａ  円形開口、５３ｂ  ボルト接合穴、５４  補強プレート、５５  ガーターパーツ、６０  つなぎ材、６１  上弦材、６２  下弦材、６３  つなぎ用プレート、６３ａ  開口、６３ｂ  ボルト接合穴、７０  束部材、７１  束用プレート、７２  ガーター用束、７２ａ  長さ調整穴、７３  レベル調整束、７３ａ  長さ調整穴、７４  長ナット、７５  位置調整ネジ、７６  ブレース材、８０  シート、８１  チューブ材、８２  クリップ、８２ａ  筒材、８２ｂ  バネ材、９０，９０ａ乃至９０ｈ  ドレーン、９１，９１ａ乃至９１ｈ  排水ホース、Ｇ  治具、Ｇ１  握り部、Ｇ２  突起部、Ｇ３  隆起部、Ｇ４  突起部、Ｆ  作業床、Ｈ  建物、Ｍ  ボルト、Ｎ  ナット、Ｐ  ピン部材、Ｑ  突起、Ｒ，Ｒ１，Ｒ２  縦枠材、Ｓ  仮設テント、Ｔ，Ｔ１，Ｔ２  仮設足場
【図１】
2005290782.tif 000003
【図２】
2005290782.tif 000004
【図３】
2005290782.tif 000005
【図４】
2005290782.tif 000006
【図５】
2005290782.tif 000007
【図６】
2005290782.tif 000008
【図７】
2005290782.tif 000009
【図８】
2005290782.tif 000010
【図９】
2005290782.tif 000011
【図１０】
2005290782.tif 000012
【図１１】
2005290782.tif 000013
【図１２】
2005290782.tif 000014
【図１３】
2005290782.tif 000015
【図１４】
2005290782.tif 000016
【図１５】
2005290782.tif 000017
【図１６】
2005290782.tif 000018